(57)【要約】【課題】大型化、コスト高を招くことなく、確実に焦点調節を行うことができるフィールドスコープを提供すること。【解決手段】本発明のフィールドスコープ１は、対物光学系２および接眼光学系３を有する観察光学系４と、対物光学系２および接眼光学系３間の焦点距離を調節する焦点調節手段５と、観察光学系４の光路内を通る光束の一部を該光路外に取り出す光量分割手段６と、光量分割手段６により前記光路外に取り出された分割光束を受光し、これを電気信号に変換する撮像手段７と、電気信号より光束のコントラスト値を検出するコントラスト検出手段１０と、コントラスト値を記憶する記憶手段１１と、コントラスト値が予め設定されたコントラスト閾値を超えたことを表示する表示手段１２と、コントラスト値が予め設定されたコントラスト閾値を超えた際に、表示手段１２に制御信号を送る制御手段１３とを備えて成る。【選択図】          図２
2005140903.tif 000002
【特許請求の範囲】
【請求項１】
対物光学系および接眼光学系を有する観察光学系と、
前記対物光学系および接眼光学系間の焦点距離を調節する焦点調節手段と、
前記観察光学系の光路内を通る光束の一部を該光路外に取り出す光量分割手段と、
前記光量分割手段により前記光路外に取り出された分割光束を受光し、これを電気信号に変換する撮像手段と、
前記電気信号より前記光束のコントラスト値を検出するコントラスト検出手段と、
前記コントラスト値を記憶する記憶手段と、
前記コントラスト値が予め設定されたコントラスト閾値を超えたことを表示する表示手段と、
前記コントラスト値が予め設定されたコントラスト閾値を超えた際に、前記表示手段に制御信号を送る制御手段と、
を備えて成ることを特徴とするフィールドスコープ。
【請求項２】
対物光学系および接眼光学系を有する観察光学系と、
前記対物光学系および接眼光学系間の焦点距離を調節する焦点調節手段と、
前記対物光学系と連動するとともに、被写体を検出する検出光学系と、
前記検出光学系により被写体を検出する際の光束を受光し、これを電気信号に変換する撮像手段と、
前記電気信号より前記光束のコントラスト値を検出するコントラスト検出手段と、
前記コントラスト値を記憶する記憶手段と、
前記コントラスト値が予め設定されたコントラスト閾値を超えたことを表示する表示手段と、
前記コントラスト値が予め設定されたコントラスト閾値を超えた際に、前記表示手段に制御信号を送る制御手段と、
を備えて成ることを特徴とするフィールドスコープ。
【請求項３】
対物光学系および接眼光学系を有する観察光学系と、
前記対物光学系および接眼光学系間の焦点距離を調節する焦点調節手段と、
前記観察光学系の光路内を通る光束の一部を該光路外に取り出す光量分割手段と、
前記光量分割手段により前記光路外に取り出された分割光束を受光し、これを電気信号に変換する撮像手段と、
前記電気信号より前記光束のコントラスト値を検出するコントラスト検出手段と、
前記対物光学系と接眼光学系との相対位置を検出する位置検出手段と、
前記相対位置に対応する前記コントラスト値を記憶する記憶手段と、
前記コントラスト値が最大値となる前記相対位置に達した際に、焦点が合ったことを知らせる表示手段と、
前記コントラスト値が最大値となる前記相対位置に達した際に、前記表示手段に制御信号を送る制御手段と、
を備えて成ることを特徴とするフィールドスコープ。
【請求項４】
前記観察光学系の視野周辺に設けられるとともに、検出された前記コントラスト値を視覚的に表示するコントラスト値表示手段を備えて成ることを特徴とする前記請求項１〜請求項３のいずれか１項に記載のフィールドスコープ。
【発明の詳細な説明】
【技術分野】
【０００１】
本発明は、フィールドスコープに関する。
【背景技術】
【０００２】
従来、フィールドスコープにおいては、焦点調節は、接眼レンズと対物レンズとの焦点距離を使用者が手動で行う事が一般的である。この手動による焦点調節の方法は、フィールドスコープ自体の構成が簡単であり、大型化、コスト高を招かないという利点もある。
【０００３】
これに対して、例えば、フィールドスコープにデジタルカメラの機能を有する機器においては、観察光学系と、撮像光学系とが連動する構造を有している。この機器の組立時に、正しく焦点が合うように設定を行っている。しかしながら、撮像光学系の焦点位置ズレの許容範囲に対して、人間の目で見る観察光学系の焦点位置ズレの許容範囲が広いため、使用者の目の個人差や焦点調節の経験の差などの要因により、撮像光学系の焦点が合わなくなるという問題が生ずる。
【０００４】
上記問題の解決のために、観察光学系と撮像光学系とが連動することを止め、観察光学系は、使用者が見やすいように焦点調節を行い、一方、撮像光学系は、それとは独立にオートフォーカス（ＡＦ）機能で焦点調節を行うという技術が提案されている（特許文献１参照）。
【０００５】
【特許文献１】特開２００３−１７２８６８号公報（請求項１）
【０００６】
しかしながら、前述の特許文献１記載の技術においては、オートフォーカス（ＡＦ）で焦点調節を行う場合には、ＡＦ機能の付加による大型化、コスト高の問題点がある。
【発明の開示】
【発明が解決しようとする課題】
【０００７】
本発明は、このような従来の問題点を解消し、大型化、コスト高を招くことなく、確実に焦点調節を行うことができるフィールドスコープを提供することをその課題とする。
【課題を解決するための手段】
【０００８】
前記課題を解決するための手段は、対物光学系および接眼光学系を有する観察光学系と、前記対物光学系および接眼光学系間の焦点距離を調節する焦点調節手段と、前記観察光学系の光路内を通る光束の一部を該光路外に取り出す光量分割手段と、前記光量分割手段により前記光路外に取り出された分割光束を受光し、これを電気信号に変換する撮像手段と、前記電気信号より前記光束のコントラスト値を検出するコントラスト検出手段と、前記コントラスト値を記憶する記憶手段と、前記コントラスト値が予め設定されたコントラスト閾値を超えたことを表示する表示手段と、前記コントラスト値が予め設定されたコントラスト閾値を超えた際に、前記表示手段に制御信号を送る制御手段とを備えて成ることを特徴とするフィールドスコープである。
【０００９】
また、前記課題を解決するための別の手段は、対物光学系および接眼光学系を有する観察光学系と、前記対物光学系および接眼光学系間の焦点距離を調節する焦点調節手段と、前記対物光学系と連動するとともに、被写体を検出する検出光学系と、前記検出光学系により被写体を検出する際の光束を受光し、これを電気信号に変換する撮像手段と、前記電気信号より前記光束のコントラスト値を検出するコントラスト検出手段と、前記コントラスト値を記憶する記憶手段と、前記コントラスト値が予め設定されたコントラスト閾値を超えたことを表示する表示手段と、前記コントラスト値が予め設定されたコントラスト閾値を超えた際に、前記表示手段に制御信号を送る制御手段とを備えて成ることを特徴とするフィールドスコープである。
【００１０】
さらに、前記課題を解決するための別の手段は、対物光学系および接眼光学系を有する観察光学系と、前記対物光学系および接眼光学系間の焦点距離を調節する焦点調節手段と、前記観察光学系の光路内を通る光束の一部を該光路外に取り出す光量分割手段と、前記光量分割手段により前記光路外に取り出された分割光束を受光し、これを電気信号に変換する撮像手段と、前記電気信号より前記光束のコントラスト値を検出するコントラスト検出手段と、前記対物光学系と接眼光学系との相対位置を検出する位置検出手段と、前記相対位置に対応する前記コントラスト値を記憶する記憶手段と、前記コントラスト値が最大値となる前記相対位置に達した際に、焦点が合ったことを知らせる表示手段と、前記コントラスト値が最大値となる前記相対位置に達した際に、前記表示手段に制御信号を送る制御手段とを備えて成ることを特徴とするフィールドスコープである。
【００１１】
この発明に係るフィールドスコープの好適な態様においては、前記観察光学系の視野周辺に設けられるとともに、検出された前記コントラスト値を視覚的に表示するコントラスト値表示手段を備えて成る。
【発明の効果】
【００１２】
本発明によれば、大型化、コスト高を招くことなく、確実に焦点調節を行うことができるフィールドスコープを提供することができる。
【発明を実施するための最良の形態】
【００１３】
［第１実施形態］
［フィールドスコープ］
図１は、本発明に係るフィールドスコープの外観図を示している。図２は、本発明の第１実施形態に係るフィールドスコープの概略図を示している。
【００１４】
本実施形態に係るフィールドスコープ１は、図１、詳しくは図２に示されるように、対物光学系２および接眼光学系３を有する観察光学系４と、焦点調節手段５と、光量分割手段６と、撮像手段７と、Ａ/Ｄ変換手段８と、信号処理手段９と、コントラスト検出手段１０と、記憶手段１１と、表示手段１２と、制御手段１３とを備えて成る。
【００１５】
対物光学系２および接眼光学系３は、例えば、それぞれ公知の対物レンズおよび接眼光学レンズを採用でき、材料等に特に制限はない。
【００１６】
焦点調節手段５は、前記対物光学系２および接眼光学系３間の焦点距離を調節するものであり、手動で対物光学系２および接眼光学系３を動かすようにしてもよいし、モータ等の駆動手段を採用してもよい。
【００１７】
光量分割手段６は、前記観察光学系４の光路内を通る光束の一部を該光路外に取り出すものであり、例えば、１つ以上のプリズム、ハーフミラー（半透明鏡）等から構成されて成る。
【００１８】
撮像手段７は、前記光量分割手段６により前記光路外に取り出された分割光束を受光し、これを電気信号に変換するものであり、ＣＣＤまたはＣＭＯＳ等の固体撮像素子で構成されている。
【００１９】
Ａ/Ｄ変換手段８は、前記撮像手段７により得られた電気信号をＡ/Ｄ変換してデジタル信号に処理するものであり、Ａ/Ｄ変換回路で構成されている。
【００２０】
信号処理手段９は、前記Ａ/Ｄ変換手段８により得られたデジタル信号を所定の信号に処理するものであり、信号処理回路で構成されている。
【００２１】
コントラスト検出手段１０は、前記電気信号より前記光束のコントラスト値を検出するものであり、コントラスト検出回路で構成されている。
【００２２】
記憶手段１１は、前記コントラスト値を記憶するものであり、メモリ回路等で構成されている。
【００２３】
表示手段１２は、前記コントラスト値が予め設定されたコントラスト閾値を超えたことを表示するものであり、ＬＥＤ、液晶等で視覚的に表示する手段や、音で聴覚的に表示する手段を用いてもよい。表示手段１２の一例としてのコントラスト値表示手段１２Ａは、詳しくは、図３に示されるように、前記観察光学系４の視野周辺に設けられるとともに、検出された前記コントラスト値を視覚的に表示するものである。
【００２４】
コントラスト値表示手段１２Ａとしては、例えば、観察光学系４の視野周辺に液晶表示により、コントラスト値を段階的に示すようにしてもよく、また、液晶表示にてコントラスト値を数値にて表示してもよく、さらに、ＬＥＤアレイにてセグメント表示するようにしてもよい。
【００２５】
制御手段１３は、前記コントラスト値が予め設定されたコントラスト閾値を超えた際に、前記表示手段１２に制御信号を送るものであり、ＣＰＵ等で構成されている。
【００２６】
［フィールドスコープの動作］
被写体１４を観察する際に、フィールドスコープ１を使用する際に、フィールドスコープ１は、以下のように、動作する。まず、被写体１４にフィールドスコープ１を向ける。そして、焦点調節手段５を操作して、対物光学系２および接眼光学系３間の焦点距離を調節し、被写体１４に対する焦点を調節する。
【００２７】
この際、対物光学系２を透過した光は、光量分割手段６により、光量分割され、被写体１４の像は、撮像手段７によって、結像され、電気信号に変換される。この電気信号は、Ａ/Ｄ変換手段８によって、Ａ/Ｄ変換され、デジタル信号へ変換される。そして、このデジタル信号は、信号処理手段９を通して、コントラスト検出手段１０へ送られる。
【００２８】
このコントラスト検出手段１０にて、被写体１４のコントラスト値を時系列的に、順次検出する。そして、記憶手段１１が、前記コントラスト値を記憶する。さらに、制御手段１３は、図４に示されるように、記憶手段１１に記憶されたコントラスト値が予め設定されたコントラスト閾値を超えた際に、前記表示手段１２に制御信号を送る。ここで、図４は、検出されたコントラスト値と、検出する時間との関係を示している。
【００２９】
この制御信号が表示手段１２に送られると、表示手段１２は、前記コントラスト値が予め設定されたコントラスト閾値を超えたことを、例えば、ＬＥＤ、液晶等で視覚的に表示したり、音で聴覚的に表示する。
【００３０】
また、フィールドスコープ１を使用する際、使用者は、フィールドスコープ１を覗き込んでいる状態である。観察光学系４の視野周辺に設けられたコントラスト値表示手段１２Ａ（図３参照）により、コントラスト値を知ることもできる。
【００３１】
前述のような第１実施形態によれば、次のような効果がある。
（１）ＡＦ機能の構造を有していないので、大型化、コスト高を招くことがない。また、制御手段１３が、前記コントラスト値が予め設定されたコントラスト閾値を超えた際に、前記表示手段１２に制御信号を送ることで、焦点が調節され、表示手段１２は、前記コントラスト値が予め設定されたコントラスト閾値を超えたことを表示するので、確実に焦点調節を行うことができる。
【００３２】
（２）コントラスト値表示手段１２Ａを備えて成ることにより、フィールドスコープ１を、覗き込みつつ、コントラスト値を知ることができる。
【００３３】
［第２実施形態］
［フィールドスコープ］
次に、本発明の第２実施形態を説明する。図５は、本発明の第２実施形態に係るフィールドスコープの概略図を示している。
【００３４】
本実施形態に係るフィールドスコープ２１は、図１、詳しくは、図５に示されるように、対物光学系２２および接眼光学系２３を有する観察光学系２４と、焦点調節手段２５と、検出光学系２６と、撮像手段２７と、Ａ/Ｄ変換手段２８と、信号処理手段２９と、コントラスト検出手段３０と、記憶手段３１と、表示手段３２と、制御手段３３とを備えて成る。
【００３５】
対物光学系２２および接眼光学系２３は、例えば、それぞれ公知の対物レンズおよび接眼光学レンズを採用でき、材料等に特に制限はない。
【００３６】
焦点調節手段２５は、前記対物光学系２２および接眼光学系２３間の焦点距離を調節するものであり、手動で対物光学系２２および接眼光学系２３を動かすようにしてもよいし、モータ等の駆動手段を採用してもよい。
【００３７】
検出光学系２６は、前記対物光学系２２と連動するとともに、被写体３４を検出するものであり、検出光学レンズ２６Ａと、光学レンズ２６Ａを対物光学系２２と連動するように駆動させる検出光学系駆動手段２６Ｂとで構成されている。検出光学レンズ２６Ａは、公知の光学レンズで構成されている。また、検出光学系駆動手段２６Ｂは、ギヤ、カム等駆動力伝達手段で構成されている。
【００３８】
ここで、対物光学系２２と連動する、とは、対物光学系２２との連関性をもって動作することをいい、例えば、対物光学系２２が、接眼光学系２３側に１ｍｍ、接近した場合、検出光学系２６は、０．１ｍｍ、接眼光学系２３側に接近したり、接眼光学系２３側に１ｍｍ、接近した場合、検出光学系２６は、１ｍｍ、接眼光学系２３側に接近したりすることである。すなわち、この連動とは、何らかの連関性を持っていればよく、必ずしも比例して動作することを意味するものではない。この連関性は、用途等によって様々に変更可能である。
【００３９】
撮像手段２７は、前記検出光学系２６により被写体３４を検出する際の光束を受光し、これを電気信号に変換するものであり、ＣＣＤまたはＣＭＯＳ等の固体撮像素子で構成されている。
【００４０】
Ａ/Ｄ変換手段２８は、前記撮像手段２７により得られた電気信号をＡ/Ｄ変換してデジタル信号に処理するものであり、Ａ/Ｄ変換回路で構成されている。
【００４１】
信号処理手段２９は、前記Ａ/Ｄ変換手段２８により得られたデジタル信号を所定の信号に処理するものであり、信号処理回路で構成されている。
【００４２】
コントラスト検出手段３０は、前記電気信号より前記光束のコントラスト値を検出するものであり、コントラスト検出回路で構成されている。
【００４３】
記憶手段３１は、前記コントラスト値を記憶するものであり、メモリ回路等で構成されている。
【００４４】
表示手段３２は、前記コントラスト値が予め設定されたコントラスト閾値を超えたことを表示するものであり、ＬＥＤ、液晶等で視覚的に表示する手段や、音で聴覚的に表示する手段を用いてもよい。
【００４５】
表示手段３２の一例としてのコントラスト値表示手段３２Ａは、詳しくは、図６に示されるように、前記観察光学系２４の視野周辺に設けられるとともに、検出された前記コントラスト値を視覚的に表示するものである。コントラスト値表示手段３２Ａとしては、例えば、観察光学系２４の視野周辺に液晶表示により、コントラスト値を段階的に示すようにしてもよく、また、液晶表示にてコントラスト値を数値にて表示してもよく、さらに、ＬＥＤアレイにてセグメント表示するようにしてもよい。
【００４６】
制御手段３３は、前記コントラスト値が予め設定されたコントラスト閾値を超えた際に、前記表示手段３２に制御信号を送るものであり、ＣＰＵ等で構成されている。
【００４７】
［フィールドスコープの動作］
被写体３４を観察する際に、フィールドスコープ２１を使用する際に、フィールドスコープ１は、以下のように、動作する。まず、被写体３４にフィールドスコープ２１を向ける。そして、焦点調節手段２５を操作して、対物光学系２２および接眼光学系２３間の焦点距離を調節し、被写体３４に対する焦点を調節する。
【００４８】
この際、検出光学系２６を透過した光は、検出光学系２６が、前記対物光学系２２と連動するとともに、被写体３４を検出することにより、被写体３４の像は、撮像手段２７によって、結像され、電気信号に変換される。この電気信号は、Ａ/Ｄ変換手段２８によって、Ａ/Ｄ変換され、デジタル信号へ変換される。そして、このデジタル信号は、信号処理手段２９を通して、コントラスト検出手段３０へ送られる。
【００４９】
このコントラスト検出手段３０にて、被写体３４のコントラスト値を時系列的に、順次検出する。そして、記憶手段３１が、前記コントラスト値を記憶する。さらに、制御手段３３は、図４に示されるように、記憶手段３１に記憶されたコントラスト値が予め設定されたコントラスト閾値を超えた際に、前記表示手段３２に制御信号を送る。ここで、図４は、検出されたコントラスト値と、検出する時間との関係を示している。
【００５０】
この制御信号が表示手段３２に送られると、表示手段３２は、前記コントラスト値が予め設定されたコントラスト閾値を超えたことを、例えば、ＬＥＤ、液晶等で視覚的に表示したり、音で聴覚的に表示する。
【００５１】
また、フィールドスコープ２１を使用する際、使用者は、フィールドスコープ２１を覗き込んでいる状態である。観察光学系２４の視野周辺に設けられたコントラスト値表示手段３２Ａ（図６参照）により、コントラスト値を知ることもできる。
【００５２】
前述のような第２実施形態によれば、次のような効果がある。
（１）ＡＦ機能の構造を有していないので、大型化、コスト高を招くことがない。また、制御手段３３が、前記コントラスト値が予め設定されたコントラスト閾値を超えた際に、前記表示手段３２に制御信号を送ることで、焦点が調節され、表示手段１２は、前記コントラスト値が予め設定されたコントラスト閾値を超えたことを表示するので、確実に焦点調節を行うことができる。
【００５３】
（２）コントラスト値表示手段３２Ａを備えて成ることにより、フィールドスコープ１を、覗き込みつつ、コントラスト値を知ることができる。
【００５４】
（３）検出光学系２６を備えて成ることにより、検出光学系２６は、撮像手段のための撮像レンズとしての機能を果たし、対物光学系２２とは、別構成となる。そのため、使用者の目と撮像手段２７とのそれぞれに最適な、例えば、レンズの形状、レンズ材料等で設計することができるため、設計の自由度を向上させることができる。また、別々の対物光学系２２と検出光学系２６との別構成になることで、これら双方に対して最適な明るさを設定することができる。
【００５５】
［第３実施形態］
［フィールドスコープ］
さらに、本発明の第３実施形態を説明する。図７は、本発明の第３実施形態に係るフィールドスコープの概略図を示している。
【００５６】
本実施形態に係るフィールドスコープ４１は、図１、詳しくは図７に示されるように、対物光学系４２および接眼光学系４３を有する観察光学系４４と、焦点調節手段４５と、光量分割手段４６と、撮像手段４７と、Ａ/Ｄ変換手段４８と、信号処理手段４９と、コントラスト検出手段５０と、位置検出手段５１と、記憶手段５２と、表示手段５３と、制御手段５４とを備えて成る。
【００５７】
対物光学系４２および接眼光学系４３は、例えば、それぞれ公知の対物レンズおよび接眼光学レンズを採用でき、材料等に特に制限はない。
【００５８】
焦点調節手段４５は、前記対物光学系４２および接眼光学系４３間の焦点距離を調節するものであり、手動で対物光学系４２および接眼光学系４３を動かすようにしてもよいし、モータ等の駆動手段を採用してもよい。
【００５９】
光量分割手段４６は、前記観察光学系４４の光路内を通る光束の一部を該光路外に取り出すものであり、例えば、１つ以上のプリズム、ハーフミラー（半透明鏡）等から構成されて成る。
【００６０】
撮像手段４７は、前記光量分割手段４６により前記光路外に取り出された分割光束を受光し、これを電気信号に変換するものであり、ＣＣＤまたはＣＭＯＳ等の固体撮像素子で構成されている。
【００６１】
Ａ/Ｄ変換手段４８は、前記撮像手段４７により得られた電気信号をＡ/Ｄ変換してデジタル信号に処理するものであり、Ａ/Ｄ変換回路で構成されている。
【００６２】
信号処理手段４９は、前記Ａ/Ｄ変換手段４８により得られたデジタル信号を所定の信号に処理するものであり、信号処理回路で構成されている。
【００６３】
コントラスト検出手段５０は、前記電気信号より前記光束のコントラスト値を検出するものであり、コントラスト検出回路で構成されている。
【００６４】
位置検出手段５１は、前記対物光学系４２と接眼光学系４３との相対位置を検出するものであり、例えば、ロータリーエンコーダ方式の検出手段等より構成されている。このエンコーダとしては、例えば、アブソリュート型のエンコーダが好ましい。
【００６５】
記憶手段５２は、対物光学系４２と接眼光学系４３との相対位置に対応する前記コントラスト値を記憶するものであり、メモリ回路等で構成されている。
【００６６】
表示手段５３は、前記コントラスト値が最大値となる前記相対位置に達した際に、焦点が合ったことを知らせるものであり、ＬＥＤ、液晶等で視覚的に表示する手段や、音で聴覚的に表示する手段を用いてもよい。
【００６７】
表示手段５３の一例としてのコントラスト値表示手段５５は、詳しくは、図８に示されるように、前記観察光学系４の視野周辺に設けられるとともに、検出された前記コントラスト値を視覚的に表示するものである。コントラスト値表示手段５５としては、例えば、観察光学系４４の視野周辺に液晶表示により、コントラスト値を段階的に示すようにしてもよく、また、液晶表示にてコントラスト値を数値にて表示してもよく、さらに、ＬＥＤアレイにてセグメント表示するようにしてもよい。
【００６８】
制御手段５４は、前記コントラスト値が最大値となる前記相対位置に達した際に、前記表示手段５３に制御信号を送るものであり、ＣＰＵ等で構成されている。
【００６９】
［フィールドスコープの動作］
被写体５６を観察する際に、フィールドスコープ４１を使用する際に、フィールドスコープ４１は、以下のように、動作する。まず、被写体５６にフィールドスコープ１を向ける。そして、焦点調節手段４５を操作して、対物光学系４２および接眼光学系４３間の焦点距離を調節し、被写体５６に対する焦点を調節する。
【００７０】
この際、対物光学系４２を透過した光は、光量分割手段４６により、光量分割され、被写体５６の像は、撮像手段４７によって、結像され、電気信号に変換される。この電気信号は、Ａ/Ｄ変換手段４８によって、Ａ/Ｄ変換され、デジタル信号へ変換される。そして、このデジタル信号は、信号処理手段４９を通して、コントラスト検出手段５０へ送られる。
【００７１】
このデジタル信号が、コントラスト検出手段５０へ送られる際に、位置検出手段５１が、対物光学系４２と接眼光学系４３との相対位置を検出し、そして、記憶手段５２が、この相対位置およびこの相対位置に対応する前記コントラスト値を記憶する。このコントラスト値と、相対位置Ｘとの関係を表したものが、図９に示すグラフである。
【００７２】
図９に示されるコントラスト値と、相対位置Ｘとの関係より、前記コントラスト値が最大値となる相対位置Ｘmaxに達した際に、制御手段５４が、表示手段５３に制御信号を送る。そして、制御信号を受け取った表示手段５３は、前記コントラスト値が最大値となる相対位置Ｘmaxに至り、焦点が合ったことを、例えば、ＬＥＤ、液晶等で視覚的に表示したり、音で聴覚的に表示する。
【００７３】
また、フィールドスコープ４１を使用する際、使用者は、フィールドスコープ４１を覗き込んでいる状態である。観察光学系４４の視野周辺に設けられたコントラスト値表示手段５５（図８参照）により、コントラスト値を知ることもできる。
【００７４】
前述のような第３実施形態によれば、次のような効果がある。
（１）ＡＦ機能の構造を有していないので、大型化、コスト高を招くことがない。また、デジタル信号が、コントラスト検出手段５０へ送られる際に、位置検出手段５１が、対物光学系４２と接眼光学系４３との相対位置を検出し、そして、記憶手段５２が、この相対位置およびこの相対位置に対応する前記コントラスト値を記憶する。そして、図９に示されるコントラスト値と、相対位置Ｘとの関係より、前記コントラスト値が最大値となる相対位置Ｘmaxに達した際に、制御手段５４が、表示手段５３に制御信号を送り、制御信号を受け取った表示手段５３は、前記コントラスト値が最大値となる相対位置Ｘmaxに至ったことを表示するので、確実に焦点調節を行うことができる。
【００７５】
（２）コントラスト値表示手段５５を備えて成ることにより、フィールドスコープ１を、覗き込みつつ、コントラスト値を知ることができる。
【００７６】
なお、本発明は前記各実施形態に限定されるものではなく、本発明の目的を達成できる範囲での変形、改良は、本発明に含まれるものである。本発明を実施する際の具体的な構造および形状等は、本発明の目的を達成できる範囲内で他の構造等としてもよい。
【産業上の利用可能性】
【００７７】
本発明のフィールドスコープは、屋外で使用され、簡単な構造を有するフィールドスコープに利用できる。
【図面の簡単な説明】
【００７８】
【図１】図１は、本発明に係るフィールドスコープの外観図を示している。
【図２】図２は、本発明の第１実施形態に係るフィールドスコープの概略図を示している。
【図３】図３は、コントラスト値表示手段の概略図を示している。
【図４】図４は、検出されたコントラスト値と、検出する時間との関係を示すグラフを示している。
【図５】図５は、本発明の第２実施形態に係るフィールドスコープの概略図を示している。
【図６】図６は、コントラスト値表示手段の概略図を示している。
【図７】図７は、本発明の第３実施形態に係るフィールドスコープの概略図を示している。
【図８】図８は、コントラスト値表示手段の概略図を示している。
【図９】図９は、検出されたコントラスト値と、相対位置Ｘとの関係を示すグラフを示している。
【符号の説明】
【００７９】
１    フィールドスコープ
２    対物光学系
３    接眼光学系
４    観察光学系
５    焦点調節手段
６    光量分割手段
７    撮像手段
８    Ａ/Ｄ変換手段
９    信号処理手段
１０    コントラスト検出手段
１１    記憶手段
１２    表示手段
１２Ａ    コントラスト値表示手段
１３    制御手段
１４    被写体
２１    フィールドスコープ
２２    対物光学系
２３    接眼光学系
２４    観察光学系
２５    焦点調節手段
２６    検出光学系
２７    撮像手段
２８    Ａ/Ｄ変換手段
２９    信号処理手段
３０    コントラスト検出手段
３１    記憶手段
３２    表示手段
３２Ａ    コントラスト値表示手段
３３    制御手段
３４    被写体
４１    フィールドスコープ
４２    対物光学系
４３    接眼光学系
４４    観察光学系
４５    焦点調節手段
４６    光量分割手段
４７    撮像手段
４８    Ａ/Ｄ変換手段
４９    信号処理手段
５０    コントラスト検出手段
５１    位置検出手段
５２    記憶手段
５３    表示手段
５４    制御手段
５５    コントラスト値表示手段
５６    被写体
【図１】
2005140903.tif 000003
【図２】
2005140903.tif 000004
【図３】
2005140903.tif 000005
【図４】
2005140903.tif 000006
【図５】
2005140903.tif 000007
【図６】
2005140903.tif 000008
【図７】
2005140903.tif 000009
【図８】
2005140903.tif 000010
【図９】
2005140903.tif 000011